(57)【要約】【課題】チェーンを使わずにブラシを固液分離装置のフィルタに沿って移動させてフィルタを清掃するフィルタ清掃装置を提供する。【解決手段】フィルタ清掃装置は、フィルタ２の二次側に位置されるブラシ６と、ブラシ６をフィルタ２に沿って移動させてフィルタ２を清掃する駆動機構と、を備える。駆動機構は、フィルタ２に平行にのびるねじ軸９と、ねじ軸９を回転させる駆動源１０と、ブラシ６を支持し、ねじ軸９と螺号し、ねじ軸９の回転によってねじ軸９に沿って移動するスライダ１１と、を備える。ブラシ６は、スライダ１１の移動によってフィルタ２に沿って移動する。【選択図】図１
0003211882.tif 000002
【実用新案登録請求の範囲】
【請求項１】
複数の分離孔が形成された平板状のフィルタを有する固液分離装置に備えられるフィルタ清掃装置であって、
前記フィルタの二次側に位置されたブラシと、
前記ブラシを前記フィルタに沿って移動させて前記フィルタを清掃する駆動機構と、を備え、
前記駆動機構は、
前記フィルタに平行にのびるねじ軸と、
前記ねじ軸を回転させる駆動源と、
前記ブラシを支持し、前記ねじ軸と螺号し、前記ねじ軸の回転によって前記ねじ軸に沿って移動するスライダと、を備え、
前記ブラシは、前記スライダの移動によって前記フィルタに沿って移動する、
ことを特徴とするフィルタ清掃装置。
【請求項２】
前記ブラシは、
前記フィルタに平行にかつ前記ねじ軸に直角にのびる回転軸と、
前記回転軸の外周面に放射状に植設された複数のブラシ毛と、を備え、
前記駆動機構は、さらに、
前記ねじ軸と平行にのびるラックと、
前記回転軸に取り付けられ、前記ラックと噛み合うピニオンと、を備える、
ことを特徴とする請求項１に記載のフィルタ清掃装置。
【請求項３】
前記駆動機構は、前記スライダを前記ねじ軸に沿って往復で移動させる、
ことを特徴とする請求項１または請求項２に記載のフィルタ清掃装置。
【請求項４】
複数の分離孔が形成された平板状のフィルタを備え、固液混合物を前記フィルタによって固体と液体とに分離する固液分離装置であって、
請求項１から請求項３のいずれか１項に記載のフィルタ清掃装置を備え、
前記フィルタは、所定の間隔をあけて並べて配置されて互いに平行にのびる複数のウェッジワイヤーを有するウェッジワイヤースクリーンであって、
前記分離孔は、隣り合う前記ウェッジワイヤーの前記間隔によって形成されたスリットである、
ことを特徴とする固液分離装置。
【請求項５】
前記フィルタは、水平に対して傾斜して配置されており、
前記固液混合物は、前記フィルタを該フィルタの傾斜に沿って流下することで前記固体と前記液体とに分離される、
ことを特徴とする請求項４に記載の固液分離装置。
【考案の詳細な説明】
【技術分野】
【０００１】
本考案は、固液分離装置のフィルタをブラシによって清掃するフィルタ清掃装置、および、該フィルタ清掃装置を備える固液分離装置に関する。
【背景技術】
【０００２】
固液分離装置には、水平に対して傾斜して配置された平板状のフィルタを備え、固液混合物を当該フィルタによって固体と液体とに分離するものがある。具体的には、固液分離装置は、固液混合物をフィルタに沿って流下させて固体と液体とに分離する。フィルタは、例えばウェッジワイヤースクリーンである。
【０００３】
固液分離装置には、フィルタの分離孔（例えばウェッジワイヤースクリーンのスリット）に詰まった固体を取り除くといったフィルタの清掃のために、フィルタ清掃装置が備えられる。例えば特許文献１では、フィルタ清掃装置は、フィルタの二次側に位置されたブラシと、ブラシを移動させる駆動機構とを備える。ブラシは、回転ブラシである。駆動機構は、ブラシをその回転軸の周りに回転させながらフィルタに沿って往復で移動させてフィルタを清掃する。
【０００４】
特許文献１では、駆動機構は、ブラシをチェーンによって往復で移動させている。しかしながら、チェーン駆動では、以下の問題点がある。
【０００５】
チェーンは継続的な使用によって伸びてしまい、それによりブラシの動作は不安定になる。ゆえに、チェーンの張りを定期的に調整しなければならない。また、チェーンへのグリース潤滑を定期的に行なって、チェーンの滑らかな動作を維持しなければならない。
【０００６】
このようにメンテナンスが短期間隔で必要とされるので、この固液分離装置は、長期の無人運転に適していない。また、食品と関係する固液混合物を取り扱う場合、グリース潤滑は望ましくない。
【０００７】
その他、大幅のスクリーンの場合、チェーンはその自重によって撓んでしまい、ブラシの移動は不安定になる。
【先行技術文献】
【特許文献】
【０００８】
【特許文献１】特開２００３−１９０８８９号公報
【考案の概要】
【考案が解決しようとする課題】
【０００９】
そこで、本考案は、チェーンを使わずにブラシをフィルタに沿って移動させてフィルタを清掃するフィルタ清掃装置、および、該フィルタ清掃装置を備える固液分離装置を提供する。
【課題を解決するための手段】
【００１０】
本考案に係るフィルタ清掃装置は、複数の分離孔が形成された平板状のフィルタを有する固液分離装置に備えられる。
前記フィルタ清掃装置は、前記フィルタの二次側に位置されたブラシと、前記ブラシを前記フィルタに沿って移動させて前記フィルタを清掃する駆動機構と、を備える。
前記駆動機構は、前記フィルタに平行にのびるねじ軸と、前記ねじ軸を回転させる駆動源と、前記ブラシを支持し、前記ねじ軸と螺号し、前記ねじ軸の回転によって前記ねじ軸に沿って移動するスライダと、を備える。前記ブラシは、前記スライダの移動によって前記フィルタに沿って移動する。
【００１１】
前記ブラシは、前記フィルタに平行にかつ前記ねじ軸に直角にのびる回転軸と、前記回転軸の外周面に放射状に植設された複数のブラシ毛と、を備えてよい。
前記駆動機構は、さらに、前記ねじ軸と平行にのびるラックと、前記回転軸に取り付けられ、前記ラックと噛み合うピニオンと、を備えてよい。
【００１２】
前記駆動機構は、前記スライダを前記ねじ軸に沿って往復で移動させてよい。
【００１３】
本考案に係る固液分離装置は、複数の分離孔が形成された平板状のフィルタを備え、固液混合物を前記フィルタによって固体と液体とに分離する。
前記固液分離装置は、上記のフィルタ清掃装置を備える。
前記フィルタは、所定の間隔をあけて並べて配置されて互いに平行にのびる複数のウェッジワイヤーを有するウェッジワイヤースクリーンであって、前記分離孔は、隣り合う前記ウェッジワイヤーの前記間隔によって形成されたスリットである。
【００１４】
前記フィルタは、水平に対して傾斜して配置されてよい。そして、前記固液混合物は、前記フィルタを該フィルタの傾斜に沿って流下することで前記固体と前記液体とに分離されてよい。
【考案の効果】
【００１５】
本考案によれば、ねじ軸が駆動源によって回転してスライダがねじ軸に沿って移動することで、スライダに支持されたブラシはフィルタに沿って移動し、フィルタが清掃される。これにより、チェーンは不要となり、チェーンに起因する問題は生じない。
【図面の簡単な説明】
【００１６】
【図１】本考案の一実施例に係るフィルタ清掃装置および固液分離装置を概略的に示す図である。
【図２】図１の領域Ｔにおけるフィルタの縦断面図である。
【考案を実施するための形態】
【００１７】
以下、図面を参照して本考案に係るフィルタ清掃装置および固液分離装置の一例について説明する。
【００１８】
図１を参照して、固液分離装置は、ケーシング１と、ケーシング１に支持されたフィルタ２とを備える。フィルタ２は、平板状である。フィルタ２には、複数の分離孔が形成されている。
【００１９】
フィルタ２は、実施例では、ウェッジワイヤースクリーンである。図２の部分縦断面図の通り、フィルタ２は、その一次側（原液側）が上向きに、その二次側（ろ液側）が下向きになるように、水平に対して所定の角度θで傾斜して配置されている。
【００２０】
フィルタ２は、所定の間隔をあけて並べて配置されて互いに平行にのびる、断面が楔形状の複数のウェッジワイヤー３を備える。即ち、分離孔は、隣り合うウェッジワイヤー３の間隔によって形成されたスリットＳである。ウェッジワイヤー３は、フィルタ２の縦方向（フィルタ２の傾斜に沿って）に並んで配置されており、フィルタ２の横方向にのびている。したがって、スリットＳは、フィルタ２の横方向にのびている。
【００２１】
図１を再び参照して、固液分離装置は、供給槽４と、シュート５と、供給槽４に固液混合物を供給するポンプ（図示略）とを備える。供給槽４およびシュート５は、フィルタ２よりも上方に設けられている。シュート５の出口は、フィルタ２の一次側と対向している。
【００２２】
固液混合物が、原液として、ポンプによって供給槽４に供給されると、供給槽４から溢れ出て、シュート５を通ってフィルタ２へ流下する。それから、固液混合物は、フィルタ２を該フィルタ２の傾斜に沿って流下することで、固体と液体とに分離される。即ち、図２の通り、固液混合物がフィルタ２を流下する際に、固液混合物の液体は、フィルタ２のスリットＳを通ってフィルタ２の二次側に流れ出る。それから、液体は、ろ液として、ケーシング１のろ液排出口（図示略）を通って外部へ排出される。一方、固液混合物の固体は、スリットＳを通過することができず、フィルタ２の下端まで流下し、更に、フィルタ２から流れ落ちて受け部材（図示略）に回収される。
【００２３】
以上のようにして、固液分離装置は、固液混合物をフィルタ２によって固体と液体とに分離する。固液分離装置には、フィルタ２を清掃するフィルタ清掃装置が備えられる。
【００２４】
フィルタ清掃装置は、清掃用のブラシ６と、ブラシ６をフィルタ２に沿って移動させてフィルタ２を清掃する駆動機構とを備える。
【００２５】
ブラシ６は、フィルタ２の二次側に位置される。ブラシ６は、回転ブラシである。ブラシ６は、平板状のフィルタ２に平行にのびる回転軸７と、回転軸７の大径部（ブラシ台として機能する）の外周面全体に放射状に植設された複数のブラシ毛８とを備える。実施例では、回転軸７は、フィルタ２の縦方向にのびる。ブラシ毛８の先端がフィルタ２のスリットＳに入り込むように、ブラシ６の位置は予め調整されている。
【００２６】
駆動機構は、フィルタ２に平行にのびるねじ軸９と、ねじ軸９を回転させる駆動源としてのモータ１０とを備える。ねじ軸９は、実施例では、フィルタ２の横方向に、即ちスリットＳに平行にのびている。したがって、ブラシ６の回転軸７は、このねじ軸９に直角にのびている。ねじ軸９は、その一端においてモータ１０の出力軸に連結され、その他端において軸受部材（図示略）を介してケーシング１に回転可能に支持される。
【００２７】
さらに、駆動機構は、ねじ軸９に螺合して、ねじ軸９の回転によってねじ軸９に沿って移動するスライダ１１を備える。軸受部材１２が、スライダ１１に支持されている。回転軸７の両端の小径部のうち、上端の小径部が軸受部材１２に差し込まれている。こうして、スライダ１１は、軸受部材１２を介してブラシ６をその回転軸７の周りに回転可能に支持しており、ブラシ６とスライダ１１とは一体的に移動するようになっている。
【００２８】
さらに、駆動機構は、ねじ軸９に平行にのびる上下一対のラック１３ａ、１３ｂと、回転軸７の両端の小径部に取り付けられて、ラック１３ａ、１３ｂと噛み合う上下一対のピニオン１４ａ、１４ｂとを備える。ラック１３ａ、１３ｂは、それぞれ、ブラケット１５ａ、１５ｂに支持されている。ブラケット１５ａ、１５ｂは、ケーシング１に固定されている。
【００２９】
駆動機構は、スライダ１１の下面に取り付けられた滑り部材１６を備える。この滑り部材１６は、上側のブラケット１５ａに接触しており、スライダ１１と共に移動するとき、ブラケット１５ａ上を滑る。この滑り部材１６によって、ブラケット１５ａがスライダ１１やブラシ６の重量の多くを受け、ねじ軸９への負荷は軽減されている。
【００３０】
さらに、駆動機構は、下側のブラケット１５ｂに取り付けられて、下側のピニオン１４ｂがラック１３ｂから外れるのを防止する規制部材１７を備える。
【００３１】
ねじ軸９がモータ１０によって回転されると、スライダ１１はねじ軸９に沿って移動する。そして、このスライダ１１の移動によって、ブラシ６はフィルタ２に沿って移動する。これと同時に、ブラシ６は、ラック１３ａ、１３ｂおよびピニオン１４ａ、１４ｂによってその回転軸７の周りに回転する。
【００３２】
こうして、駆動機構は、ブラシ６をその回転軸７の周りに回転させながらフィルタ２に沿ってスリットＳの長さ方向に移動させてフィルタ２を清掃する。即ち、フィルタ２のスリットＳに挟まっている固体や、ウェッジワイヤー３に付着した汚れは、ブラシ毛８によって除去される。
【００３３】
駆動機構は、ねじ軸９の正逆回転によってスライダ１１をねじ軸９に沿って往復で移動させる。これによって、ブラシ６はフィルタ２に沿って往復で移動する。
【００３４】
このために、位置センサ（図示略）がモータ１０に内蔵されており、ブラシ６の位置がモータ１０へのパルス数に基づいて検出される。そして、駆動機構は、ブラシ６が所定の位置に達したことを位置検出センサによって検出したときに、モータ１０の出力軸を、即ちねじ軸９を反転させることによって、ブラシ６を反対方向に移動させる。
【００３５】
なお、フィルタ２の清掃終了の際に、駆動機構は、ブラシ６をその移動範囲の一端に移動させて、ブラシ６を退避させる。
【００３６】
以上のように、ブラシ清掃装置は、ねじ軸９およびスライダ１１によってブラシ６をフィルタ２に沿って移動させている。ブラシ６の移動のためのチェーンは不要である。したがって、チェーン駆動による問題は生じない。
【００３７】
即ち、本考案のブラシ清掃装置は、チェーンの張りやチェーンへのグリース滑油といったメンテナンスは不要であり、メンテナンスの間隔を長くしてよく、長期の無人運転に耐えうるものとなる。また、本考案のブラシ清掃装置は、グリース潤滑が不要なので、食品と関係する固液混合物を取り扱うのに適している。
【００３８】
また、本考案のブラシ清掃装置は、チェーン駆動とは違って、大幅のフィルタを適切に清掃することができる。
【００３９】
以上、本考案の一実施例について説明されたが、本考案は上記実施例に限定されるものではない。
【００４０】
実施例のフィルタ２は、ウェッジワイヤースクリーンであり、そのスリットＳが、フィルタ２の幅方向にのびるものであった。これに代えて、スリットＳがフィルタ２の縦方向にのびるウェッジワイヤースクリーンが用いられてもよい。この場合、ブラシ６はその回転軸７がフィルタ２の幅方向にのびるように設けられ、駆動機構はブラシ６をフィルタ２の縦方向に、即ちスリットＳに沿って移動させることが好ましい。
【００４１】
フィルタ２は、ウェッジワイヤースクリーンに代えて、例えばパンチングメタルのような他の種類のフィルタであってもよい。
【００４２】
実施例の固液分離装置は、水平に対して傾斜して配置されたフィルタ２によって分離を行う傾斜タイプであるが、他のタイプが用いられてもよい。
【符号の説明】
【００４３】
１  ケーシング
２  フィルタ
３  ウェッジワイヤー
４  供給槽
５  シュート
６  ブラシ
７  回転軸
８  ブラシ毛
９  ねじ軸
１０  モータ
１１  スライダ
１２  軸受部材
１３ａ、１３ｂ  ラック
１４ａ、１４ｂ  ピニオン
１５ａ、１５ｂ  ブラケット
１６  滑り部材
１７  規制部材
Ｓ  スリット（分離孔の一例）
【図１】
0003211882.tif 000003
【図２】
0003211882.tif 000004